(57)【特許請求の範囲】
【請求項１】
仕切りにより区画された２つの収納部を有し、一方の収納部は大径の球状粒子を多数収納するように、他方の収納部は小径の球状粒子を多数収納するようになっており、それらの収納部は収納した球状粒子が一つずつ通過できるように先の方が細くなるとともに、先端にはそれぞれの球状粒子が一つだけ入る取出し口を有している容器本体と、それぞれの球状粒子の取出し口を同時に開ける開位置とそれらの取出し口を同時に覆う閉位置との間で容器本体に対して相対的にスライド可能な有底角筒状の外ケースとからなり、容器本体の収納部を上げ底にしてその下側を乾燥剤を収納するスペースとし、閉位置では大小２種類の球状粒子がそれぞれの収納部内において取出し口のところに移動可能で、開位置では大小２種類の球状粒子がそれぞれの収納部内において取出し口のところに移動できないように外ケースの内側に２本のピンを突出して設け、各ピンの長さをそれぞれ球状粒子の直径の２／３程度とし、さらに閉位置では収納部が密閉状態となるようにしたことを特徴とする振出し容器。
【発明の詳細な説明】
【０００１】
【発明の属する技術分野】
本発明は、菓子類やその他の粒状物を収納し、これを小出しできるようにした振出し容器の技術分野に属するものである。
【０００２】
【従来の技術】
従来、この種の振出し容器としては、片手で把持できる程度のサイズ、すなわち携帯可能なサイズをしたプラスチック製容器であって、中に粒状の菓子類を収納したものが多く出回っている。そして、通常これらの容器は、指先やもう一方の手で容器の一部をスライドするか、或いは回転することによって取出し口を形成し、その取出し口を下向きにして手のひらで受けるようにし、中に収納されている粒子をそこから振り出すようになっている。
【０００３】
【発明が解決しようとする課題】
上記した従来の振出し容器は、形成した取出し口を下側にして中身を振り出そうとすると、その取出し口から中の粒子が次々と出てしまう。特に、形が球状をした粒子についてはその傾向が著しい。そして、粒子が必要以上に出ると、容器の中に戻したりするのが面倒である。このような事態を招かないようにするには、手のひらで受けながら注意深く小刻みに振るようにするが、所定の数だけ取り出すようにするのは困難である。また、比較的軟らかい菓子類のような湿気を吸収しやすい粒状物の場合、時間が経つとべとついて互いにくっついてしまい、容器から振り出せなくなるという問題点を有していた。
【０００４】
本発明は、上記のような問題点に鑑みてなされたものであり、その目的とするところは、湿気によりべとつきやすい球状粒子を収納してあっても、操作ごとに所定個数を確実に取り出すことができるようにした振出し容器を提供することにある。
【０００５】
【課題を解決するための手段】
上記の目的を達成するため、本発明の振出し容器は、仕切りにより区画された２つの収納部を有し、一方の収納部は大径の球状粒子を多数収納するように、他方の収納部は小径の球状粒子を多数収納するようになっており、それらの収納部は収納した球状粒子が一つずつ通過できるように先の方が細くなるとともに、先端にはそれぞれの球状粒子が一つだけ入る取出し口を有している容器本体と、それぞれの球状粒子の取出し口を同時に開ける開位置とそれらの取出し口を同時に覆う閉位置との間で容器本体に対して相対的にスライド可能な有底角筒状の外ケースとからなり、容器本体の収納部を上げ底にしてその下側を乾燥剤を収納するスペースとし、閉位置では大小２種類の球状粒子がそれぞれの収納部内において取出し口のところに移動可能で、開位置では大小２種類の球状粒子がそれぞれの収納部内において取出し口のところに移動できないように外ケースの内側に２本のピンを突出して設け、各ピンの長さをそれぞれ球状粒子の直径の２／３程度とし、さらに閉位置では収納部が密閉状態となるようにしたことを特徴としている。
【０００８】
【発明の実施の形態】
以下、図面を参照して本発明の実施の形態を説明する。
【０００９】
図１は本発明に係る振出し容器の一例を示す斜視図であり、図２は図１の振出し容器を構成する容器本体の分解斜視図、図３は同じく外ケースの分解斜視図、図４は図１に示す振出し容器の取出し口を閉じた状態と開けた状態を示す説明図である。
【００１０】
図１に示した振出し容器Ｃは、中に２種類の球状粒子を入れるタイプで、容器本体１０と外ケース２０はいずれもプラスチックの射出成形品からなっており、手で把持できる携帯サイズに設計されている。また、この例では外ケース２０が透明プラスチックからなり、中が透けて見えるようになっている。
【００１１】
容器本体１０は、図２に示すように、中央を走る仕切り１１により区画された２つの収納部１２，１３を有していて、一方の収納部１２には大きい径の球状粒子Ａが複数個収納され、もう一方の収納部１３には小さい径の球状粒子Ｂが複数個収納されるようになっている。そして、各収納部１２，１３は先の方が細くなっており、この部分はそれぞれ球状粒子Ａ，Ｂが一つずつ通過でき、しかもその先端に球状粒子Ａ，Ｂが一つだけ入るスペースがあり、ここが取出し口１４，１５となるものである。なお、この取出し口１４，１５のところは、容器本体１０の底に球状粒子Ａ，Ｂが入る窪みを設けておき、取出し時の安定性を増すようにするのが好ましい。
【００１２】
また、図示の振出し容器Ｃでは、容器本体１０の収納部１２，１３は上げ底になっていて、その下側のスペースに乾燥剤を入れることができるようになっている。また、収納部１２，１３の底は、それぞれ収納する球状粒子のサイズに合わせて段違いで形成されている。すなわち、収納部１２の方が深く、収納部１３の方が浅くなっており、表から見た時に大きさの異なる球状粒子Ａ，Ｂが同じ高さに見えるようにしてある。
【００１３】
外ケース２０は、図３に示すように、有底角筒状の形状で、容器本体１０がピッタリと入るサイズに形成されている。そして、天面部には３つの貫通孔ａ，ｂ，ｃが設けられており、串パーツ２１がこの貫通孔に差し込まれることで、外ケース２０の内側に３本のピン２２，２３，２４が突出するようになっている。また、外ケース２０の両方の側面部にはそれぞれ滑り止め用の突条２５が縦方向に複数設けられている。
【００１４】
容器本体１０には、その取出し側に、把手の役目を果たすキャップ３０が取り付けられる。すなわち、このキャップ３０は、上部内面及び下部内面にそれぞれ２つの突条３１と両側部内面にそれぞれ１つの突条３１を備えており、容器本体１０の取出し側の端部に設けられた２本の固定用リブ１６，１７の間にこれらの突条３１が嵌まり込むことで容器本体１０に固定される。なお、成形の都合上、外側の固定用リブ１６は周回して形成するの対し、内側の固定用リブ１７は下部には形成できないが、キャップ３０の下部内面にも上部内面と同様に２つの突条が設けてあり、この突条が外側の固定用リブ１６を越えて嵌合するようになっている。なお、このキャップ３０に異なる色のプラスチックを使用すれば、デザイン的に見栄えが良くなる。
【００１５】
また、容器本体１０には、２本の固定用リブ１６，１７のさらに内側にもう一つの密閉用リブ１８が周回して設けられている。この密閉用リブ１８は固定用リブ１６，１７より小さく且つ薄く形成されており、図１に示す如く容器本体１０を外ケース２０の中に入れた時に、外ケース２０の内面に密着するサイズで形成されている。一方、キャップ３０には、図２に示すように、その上部内面と下部内面に設けた突条３１に隣接して小さな凸部３２が設けられており、振出し容器Ｃを閉じた時にこの凸部３２が外ケース２０の外面を押さえることにより、密閉用リブ１８が外ケース２０の内面にしっかりと密着するようにしてある。これにより、振出し容器Ｃを閉じた際に、容器本体１０の収納部１２，１３とその下側の乾燥剤用のスペースの密閉性が良好となり気密性が上がる。
【００１６】
また、容器本体１０には、その取出し側の片方寄りにスリット１９が形成されている。そして、収納部１２，１３にそれぞれ球状粒子Ａ，Ｂを入れた容器本体１０を外ケース２０の中に入れた状態で、外ケース２０の天面の貫通孔ａ，ｂ，ｃに串パーツ２１を差し込むことにより、一本のピン２２がこのスリット１９に嵌入し、残り２本のピン２３，２４がそれぞれ収納部１２，１３に突き出るようになっている。そして、図４（ａ）に示すように、外ケース２０の天面部が取出し口１４，１５を覆う閉位置ではピン２２がスリット１９の外端に位置しており、容器本体１０と外ケース２０を相対的にスライドさせて振出し容器Ｃを開けると、図４（ｂ）に示すように、ピン２２がスリット１９の内端に位置し、収納部１２，１３の先端の取出し口１４，１５を開ける開位置となる。また、スリット１９は、その中央部を絞った形状をしており、一気に閉状態から開状態になるのを防止している。すなわち、中程で一端止まるので、初期開口時の衝撃を吸収して和らげるクッション作用が働き、中身の球状粒子が飛散するのが防止されることになる。
【００１７】
振出し容器Ｃは、上記したように、外ケース２０の天面部から２本のピン２３，２４がそれぞれ容器本体１０の収納部１２，１３に突出した状態になる。そして、この２本のピン２３，２４は、図４（ａ）に示す閉じた状態では、取出し口１４，１５のところにそれぞれ球状粒子Ａ，Ｂが移動可能な位置にあり、図４（ｂ）に示す開いた状態では、取出し口１４，１５のところに球状粒子Ａ，Ｂが移動できない位置にある。そして、２本のピン２３，２４は、それぞれ球状粒子Ａ，Ｂの直径の２／３程度の長さで突出させている。
しているのが望ましい。
【００１８】
上記の構成からなる振出し容器は、外ケース２０を把持し、キャップ３０を掴んで外ケース２０と容器本体１０とを相対的にスライドして開けると、２つ目以降の球状粒子はピン２３，２４により引き戻され、取出し口１４，１５のところに移動できないので出てこない。すなわち、外ケース２０をスライドさせて球状粒子Ａ，Ｂを１粒ずつ２粒だけ取り出すことができる。
【００１９】
以上、本発明の実施の形態について詳細に説明してきたが、本発明による振出し容器は、上記実施の形態に何ら限定されるものではなく、本発明の趣旨を逸脱しない範囲において種々の変更が可能であることは当然のことである。
【００２０】
【発明の効果】
以上説明したように、本発明の振出し容器は、仕切りにより区画された２つの収納部を有し、一方の収納部は大径の球状粒子を多数収納するように、他方の収納部は小径の球状粒子を多数収納するようになっており、それらの収納部は収納した球状粒子が一つずつ通過できるように先の方が細くなるとともに、先端にはそれぞれの球状粒子が一つだけ入る取出し口を有している容器本体と、それぞれの球状粒子の取出し口を同時に開ける開位置とそれらの取出し口を同時に覆う閉位置との間で容器本体に対して相対的にスライド可能な有底角筒状の外ケースとからなり、容器本体の収納部を上げ底にしてその下側を乾燥剤を収納するスペースとし、閉位置では大小２種類の球状粒子がそれぞれの収納部内において取出し口のところに移動可能で、開位置では大小２種類の球状粒子がそれぞれの収納部内において取出し口のところに移動できないように外ケースの内側に２本のピンを突出して設け、各ピンの長さをそれぞれ球状粒子の直径の２／３程度とし、さらに閉位置では収納部が密閉状態となる構成としたので、取出し時に際して外ケースと容器本体とを相対的にスライドして開位置とすることにより、所定数の球状粒子だけが取出し口に位置し、それ以外の球状粒子は取出し口に移動できないことから、異なるサイズの球状粒子を一回の取出し操作で一つずつ正確に取り出すことができ、しかも、密閉して湿気を防ぐので、湿気を吸収しやすい粒状物であってもそれらのくっつきを防止して振出し操作の確実性を上げることができ、また、必要に応じて乾燥剤を収納して使用することで、上記した閉位置での密閉状態と相まって、粒状物をべとつかせることなく、さらに確実に取り出すことができる。
【図面の簡単な説明】
【図１】本発明に係る振出し容器の一例を示す斜視図である。
【図２】図１の振出し容器を構成する容器本体の分解斜視図である。
【図３】図１の振出し容器を構成する外ケースの分解斜視図である。
【図４】図１に示す振出し容器の取出し口を閉じた状態と開けた状態を示す説明図である。
【符号の説明】
１０  容器本体
１１  仕切り
１２，１３  収納部
１４，１５  取出し口
１６，１７  固定用リブ
１８  密閉用リブ
２０  外ケース
２１  串パーツ
２２，２３，２４  ピン
２５  突条
３０  キャップ
３１  突条
３２  凸部
Ａ，Ｂ  球状粒子
Ｃ  振出し容器
ａ，ｂ，ｃ  貫通孔
【図１】
0004748378.tif 000002
【図２】
0004748378.tif 000003
【図３】
0004748378.tif 000004
【図４】
0004748378.tif 000005